(57)【要約】【課題】安価に、かつ、正確にディスクの劣化を検出することができる読取装置及びディスク劣化検出方法を提供する。【解決手段】サーボＤＳＰ５による光ピックアップ３のフォーカス調整、トラッキング調整が調整範囲内で正常に行われたとき、フォーカス調整値、トラッキング調整値に基づいて、ディスクの劣化を検出する。【選択図】図２【特許請求の範囲】
【請求項１】
光ビームをディスクに照射して、その反射光を読み取る読取手段と、該読取手段の読取結果に応じて当該読取手段の調整を行う調整手段とを備えた読取装置であって、
前記調整手段による調整範囲内で、前記読取手段の調整ができたとき、当該読取手段の調整値に基づいて、ディスクの劣化を検出する劣化検出手段をさらに備えたことを特徴とする読取装置。
【請求項２】
請求項１記載の読取装置であって、
前記読取手段は、前記ディスクに照射する光ピックアップを有し、
前記調整手段は、前記光ピックアップの調整を行うものであることを特徴とする読取装置。
【請求項３】
請求項２記載の読取装置であって、
前記光ピックアップは、前記光ビームを前記ディスクに集光する対物レンズを有し、
前記調整手段は、前記ディスクに接離する方向における前記対物レンズ位置を前記調整値として、前記光ビームが前記ディスク上で合焦するように調整するものであることを特徴とする読取装置。
【請求項４】
請求項２又は３記載の読取装置であって、
前記光ピックアップは、前記光ビームを前記ディスクに集光する対物レンズを有し、
前記調整手段は、前記ディスクの径方向における前記対物レンズ位置を調整値として、前記光ビームが前記ディスクのトラック上を追従できるように調整するものであることを特徴とする読取装置。
【請求項５】
請求項２〜４何れか１項記載の読取装置であって、
前記調整手段は、前記照射される光ビームの光量を調整値として、前記光ビームの反射光が一定となるように調整するものであることを特徴とする読取装置。
【請求項６】
請求項１〜５何れか１項記載の読取装置であって、
前記読取手段は、前記反射光を電気信号に変換して、前記反射光を読み取り、
前記調整手段は、前記電気信号の増幅ゲインを調整値として、調整を行うものであることを特徴とする読取装置。
【請求項７】
請求項１〜６何れか１項記載の読取装置であって、
前記調整手段による前記読取手段の調整値履歴を記録する記録手段をさらに備え、
前記劣化検出手段は、前記調整手段による調整範囲内で、前記読取手段の調整ができたとき、当該読取手段の調整値と、前記調整値履歴との比較によって、前記ディスクの劣化を検出することを特徴とする読取装置。
【請求項８】
請求項７記載の読取装置であって、
前記劣化検出手段は、所定量以上の調整値履歴が記録されるまで、前記ディスクの劣化の検出を行わないことを特徴とする読取装置。
【請求項９】
請求項７又は８記載の読取装置であって、
前記劣化検出手段は、前記調整値履歴に基づいて基準調整値を定め、該基準調整値と、前記読取装置の調整値とのズレ量によって、前記ディスクの劣化を検出することを特徴とする読取装置。
【請求項１０】
請求項１〜９何れか１項記載の読取装置であって、
前記劣化検出手段が前記ディスクの劣化を検出したとき、その旨を報知する報知手段をさらに備えたことを特徴とする読取装置。
【請求項１１】
光ビームをディスクに照射して、その反射光を読み取る読取手段と、該読取手段の読取結果に応じて当該読取手段の調整を行う調整手段とを備えた読取装置を用いて、前記ディスクの劣化を検出するディスク劣化検出方法であって、
前記調整手段による調整範囲内で、前記読取手段の調整ができたとき、当該読取手段の調整値に基づいて、ディスクの劣化を検出することを特徴とするディスク劣化検出方法。
【発明の詳細な説明】
【技術分野】
【０００１】
本発明は、読取装置及びディスク劣化検出方法に関するものである。
【背景技術】
【０００２】
光ディスクの読み取りエラーが生じる要因の１つとして、光ディスク自体の劣化がある。例えば、光ディスク表面に、砂、埃、ゴミ等の異物が付着したり、傷がついたりすると、読み取りエラーが生じ、再生することができなくなってしまう。また、近年では、一般レベルでデータの記録可能な光ディスクが普及している。この光ディスクは、例えば、光ビームを当てることで構造が変化する色素記録層を使ってデータの記録を行っている。このため、色素記録層の劣化などが生じ、再生専用の光ディスクに比べて劣化が生じやすい。【０００３】
そこで、光ディスクの読み出しエラーレートを予め定めた単位時間毎に検出し、その検出結果に基づき、ディスク状態を表示する記録再生装置が特許文献１に記載されている。このようにディスク状態を表示することにより、再生品質の低下が生じても、ユーザに、それが再生装置の故障、性能低下と即断させず、光ディスクにその原因があることを前提とした対処を促すことができる。【０００４】
上述した特許文献１の記録再生装置では、単に、読み出しエラーレートが悪いときに、ディスクの状態が悪いと判断している。しかしながら、エラーレートは、ディスクの状態が悪い場合だけでなく、再生装置の故障や、性能低下しても悪くなる。このため、再生装置の故障や、性能低下が生じると、ディスクの状態が良好なのにもかかわらず、ディスクの状態が悪いと表示されてしまう。また、予め定めた単位時間毎に、エラーレートを求めなければならず、通常の動作に余分に時間がかかる。
【特許文献１】特開２００２−１２４０４５公報
【発明の開示】
【発明が解決しようとする課題】
【０００５】
本発明が解決しようとする課題には、上記した問題が一例として上げられる。
【課題を解決するための手段】
【０００６】
上記課題を解決するためになされた本発明は、光ビームをディスクに照射して、その反射光を読み取る読取手段と、該読取手段の読取結果に応じて当該読取手段の調整を行う調整手段とを備えた読取装置であって、前記調整手段による調整範囲内で、前記読取手段の調整ができたとき、当該読取手段の調整値に基づいて、ディスクの劣化を検出する劣化検出手段をさらに備えたことを特徴とする読取装置に存する。【０００７】
また、本発明は、光ビームをディスクに照射して、その反射光を読み取る読取手段と、該読取手段の読取結果に応じて当該読取手段の調整を行う調整手段とを備えた読取装置を用いて、前記ディスクの劣化を検出するディスク劣化検出方法であって、前記調整手段による調整範囲内で、前記読取手段の調整ができたとき、当該読取手段の調整値に基づいて、ディスクの劣化を検出することを特徴とするディスク劣化検出方法に存する。
【図面の簡単な説明】
【０００８】
【図１】実施の形態における読取装置の主要部の構成を表したブロック図である。
【図２】本発明のディスク劣化検出方法を実施した読取・再生装置の一実施例を示すブロック図である。
【図３】図２の読取・再生装置を構成するＣＰＵ７ａの自動調整処理における処理手順を示すフローチャートである。
【図４】図１の読取・再生装置を構成するＣＰＵ７ａの再生開始処理における処理手順を示すフローチャートである。
【符号の説明】
【０００９】
１０  読取装置
１２  ディスク
１３  読取部（読取手段）
１４  調整部（調整手段）
１５  劣化検出部（劣化検出手段）
１６  記録部（記録手段）
１７  報知部（報知手段）
【発明を実施するための最良の形態】
【００１０】
実施の形態
本発明に係る読取装置の実施形態について、図１を参照して説明する。図１は、実施の形態における読取装置の主要部の構成を表したブロック図である。図１において、読取装置１０は、読取部１３と、調整部１４と、劣化検出部１５、記録部１６、報知部１７を備えて構成されている。読取部１３は、ディスク１２に光ビームを照射し、ディスク１２からの反射光を受光して電気信号に変換する光ピックアップを有し、この光ピックアップが変換した電気信号によって、ディスク１２からの反射光を読み取る。【００１１】
また、調整部１４は、読取部１３の読取結果に応じて、その読取部１３の調整を行う。読取部１３で行われる調整としては、例えば光ピックアップのフォーカス調整、トラッキング調整といった光ピックアップの調整や、光ビームの光量調整、光ピックアップが変換した電気信号の増幅ゲイン調整などがある。劣化検出部１５は、調整部１４による調整範囲内で、読取部１３の調整ができたとき、その読取部１３の調整値に基づいて、ディスク１２の劣化を検出する。【００１２】
記録部１６は、調整部１４による読取部１３の調整値履歴を記録するものである。上述した劣化検出部１５は、例えば、調整部１４が調整した読取部１３の調整値と、基準調整値とのズレ量によって、ディスク１２の劣化検出を行う。基準調整値は、予め定めておいてもよいし、また、記録部１６が記録した調整値履歴に基づいて定めるようにしてもよい。また、報知部１７は、劣化検出部１５が劣化を検出したときその旨を報知する。【００１３】
このようにすることで、調整部１４による調整範囲内で、読取部１３の調整ができたとき、つまり、その調整部１４を備えた読取装置に故障や、性能低下がないと判断できるときに、その調整値に基づいて、ディスクの劣化を検出することにより、読取装置の故障や、性能低下をディスクの劣化として誤検出することがなく、正確にディスクの劣化を検出することができる。しかも、読取時に通常行われる読取部１３の調整を利用して、ディスクの劣化を検出することができる。【００１４】
また、調整部１３は、ディスク１２に照射する光ピックアップの調整を行うものであってもよい。このようにすることで、読取時に通常行われる光ピックアップの調整を利用してディスク１２の劣化を検出することができる。【００１５】
また、光ピックアップは、光ビームをディスク１２に集光する対物レンズを有し、調整部１４は、ディスク１２に接離する方向における対物レンズ位置を調整値として、光ビームがディスク１２上で合焦するように調整するものであってもよい。このようにすることで、読取時に通常行われる光ビームのフォーカス調整を利用して、ディスク１２の劣化を検出することができる。【００１６】
また、光ピックアップは、光ビームをディスク１２に集光する対物レンズを有し、調整部１４は、ディスク１２の径方向における対物レンズ位置を調整値として、光ビームがディスク１２のトラック上を追従できるように調整するものであってもよい。このようにすることで、読取時に通常行われる光ビームのトラッキング調整を利用して、ディスク１２の劣化を検出することができる。【００１７】
また、調整部１４は、照射される光ビームの光量を調整値として、光ビームの反射光が一定となるように調整するものであってもよい。このようにすることで、読取時に通常行われる光ビームの光量調整を利用して、ディスク１２の劣化を検出することができる。【００１８】
また、調整部１４は、電気信号の増幅ゲインを調整値として、調整を行うものであってもよい。このようにするこで、読取時に通常行われる電気信号の増幅ゲイン調整を利用して、ディスク１２の劣化を検出することができる。【００１９】
また、劣化検出部１５は、調整部１４による調整範囲内で、読取部１３の調整ができたとき、その読取部１３の調整値と、記録部１６に記録された調整値履歴との比較によって、ディスク１２の劣化を検出するようにしてもよい。【００２０】
このようにすることによって、調整履歴、つまり過去の調整値により読取装置の汚れや劣化に起因する調整値の変動を把握することができるため、調整値履歴と、現調整値との比較に基づいて、ディスク１２の劣化を検出することにより、より正確にディスク１２の劣化を検出することができる。【００２１】
また、劣化検出部１５は、所定量以上の調整値履歴が記録されるまで、ディスク１２の劣化検出を行わないようにしてもよい。このようにすることによって、調整値履歴が所定量以上記録されない状態で、ディスク１２の劣化検出が行われることがないので、より一層、正確にディスク１２の劣化を検出することができる。【００２２】
また、劣化検出部１５は、調整値履歴に基づいて基準調整値を定め、該基準調整値と、読取部１３の調整値とのズレ量によって、ディスク１２の劣化を検出するようにしてもよい。このようにすることによって、基準調整値とのズレ量により簡単にディスク１２の劣化を検出することができる。【００２３】
また、報知部１７は、劣化検出部１５がディスク１２の劣化を検出したとき、その旨を報知するようにしてもよい。このように、ディスク１２の劣化を報知することにより、使用者は今使っているディスク１２が車内環境や傷などで劣化していることを認識でき、ディスク１２の読み取り不能になることに対してディスク１２のバックアップをとるなどの回避行動をとることができる。【００２４】
実施例
図２は、本発明のディスク劣化方法を実施した読取・再生装置の一実施例を示すブロック図である。同図に示すように、ディスク１は、スピンドルモータ２により回転駆動されるように装填されている。光ピックアップ３は、ディスク１に対して光ビームを照射し、ディスク１からの反射光を受光して受光量に応じたＲＦ信号（＝電気信号）を出力する。【００２５】
このため、光ピックアップ３は、光ビームを発生するレーザーダイオード、光ビームをディスク１に集光する対物レンズなどの光学系及び光ビームの反射光を検出し、反射光に応じたＲＦ信号を出力する光検出部などが搭載されている（何れも図示せず）。さらに、光ピックアップ３には、上述した対物レンズをディスク１の径方向に変位するトラッキングアクチュエータと、ディスク１に接離する方向に変位するフォーカシングアクチュエータが搭載されている（何れも図示せず）。【００２６】
また、光ピックアップ３内の光検出部から出力されるＲＦ信号は、ＲＦアンプ４に供給される。ＲＦアンプ４は、供給されたＲＦ信号を増幅した後、このＲＦ信号から再生ＲＦ信号、フォーカスエラー信号、トラッキングエラー信号などを生成して、サーボ信号処理回路（以下、単にサーボＤＳＰ）５に供給する。また、上述したＲＦアンプ４は、調整手段として働き、ＲＦ信号の増幅ゲインを調整値として、光ピックアップ３から出力されたＲＦ信号のレベルが一定となるように、ゲイン調整を行う。【００２７】
上述したサーボＤＳＰ５は、調整手段として働き、ディスク１に接離する方向における対物レンズ位置を調整値として、ＲＦアンプ４から出力されたフォーカスエラー信号に基づき、光ピックアップ３からの光ビームがディスク１上で合焦するようなフォーカス制御信号を出力して、フォーカス調整を行う。そして、ドライバ６が、供給されたフォーカス制御信号に応じて、光ピックアップ３の対物レンズを駆動する。【００２８】
また、上述したサーボＤＳＰ５は、ディスク１の半径方向における対物レンズ位置を調整値として、ＲＦアンプ４から出力されたトラッキングエラー信号に基づき、光ピックアップ３からの光ビームがディスク１のトラック上を追従できるようなトラッキング制御信号を出力して、トラッキング調整を行う。そして、ドライバ６が供給されたトラッキング制御信号に応じて、光ピックアップ３の対物レンズを駆動する。【００２９】
サーボＤＳＰ５はまた、再生ＲＦ信号に基づき、光ディスク１の回転を制御するための回転制御信号を生成して、ドライバ６に供給する。そして、ドライバ６が、供給された回転制御信号に応じて、スピンドルモータ２を駆動することにより、ディスク１を所望の速度で回転させることができる。【００３０】
上述したサーボＤＳＰ５は、マイクロコンピュータ（以下、μＣＯＭ）７によって制御されている。μＣＯＭ７は、プログラムに従って各種の処理を行う中央処理ユニット（以下、ＣＰＵ）７ａ、ＣＰＵ７ａが行う処理のプログラムなどを格納する読み出し専用のメモリであるＲＯＭ７ｂ、ＣＰＵ７ａの処理過程で利用するワークエリア、各種データを格納するデータ格納エリアなどを有する読み出し書き込み自在のメモリであるＲＡＭ７ｃなどを内蔵している。【００３１】
また、上述したμＣＯＭ７には、各種エラー情報などを表示するための表示装置８（＝請求項中の報知手段、実施の形態における報知部１７に相当）が接続されている。また、ＲＦアンプ４からの再生ＲＦ信号は、読取・再生信号処理回路（以下、読取・再生ＤＳＰ）９に供給され、ここで再生ＲＦ信号からディスク１に書込まれたデータの読取・再生が行われる。以上明らかなように、上述した光ピックアップ３、ＲＦアンプ４及び読取・再生ＤＳＰ９が請求項中の読取手段、実施の形態における読取部１３に相当する。また、ＲＦアンプ４及びサーボＤＳＰ５が請求項中の調整手段、実施の形態における調整部１４に相当する。【００３２】
上述した構成の読取・再生装置の動作について、ＣＰＵ７ａの処理手順を示す図３及び図４のフローチャートを参照して以下説明する。まず、読取・再生装置に対するディスク１の装填が行われると、ＣＰＵ７ａは、サーボＤＳＰ５及び読取・再生ＤＳＰ９を制御して、ディスク１の内周に書き込まれている管理情報の読み取りを行う。さらに、ＣＰＵ７ａは、この管理情報の読み取りと並列に、自動調整処理、再生開始処理を行う。【００３３】
まず、図２に示す自動調整処理おいて、ＣＰＵ７ａは、サーボＤＳＰ５や、ＲＦアンプ４を制御して、上述したフォーカス調整、トラッキング調整、ゲイン調整を行わせる（ステップＳ１）。次に、これに応じて、サーボＤＳＰ５は、フォーカス調整、トラッキング調整を行い、ＲＦアンプ４は、ゲイン調整を行う。【００３４】
次に、ＣＰＵ７ａは、フォーカス調整、トラッキング調整、ゲイン調整がそれぞれの調整範囲内で正常に行われたか否かを順次、判断する（ステップＳ２、Ｓ３、Ｓ４）。フォーカス調整が正常に行われていない場合（ステップＳ２でＮ）、ＣＰＵ７ａは、「フォーカスエラー」を表示装置８に表示させて（ステップＳ６）、処理を終了する。【００３５】
また、トラッキング調整が正常に行われていない場合（ステップＳ３でＮ）、ＣＰＵ７ａは、「トラッキングエラー」を表示装置８に表示させて（ステップＳ７）、処理を終了する。さらに、ゲイン調整が正常に行われていない場合（ステップＳ４でＮ）、ＣＰＵ７ａは、「ゲインエラー」を表示装置８に表示させて（ステップＳ８）、処理を終了する。これに対して、フォーカス調整、トラッキング調整及びゲイン調整が全て正常に行われた場合（ステップＳ４でＹ）、ＣＰＵ７ａは、調整終了フラグＦ１をオンした後（ステップＳ５）、処理を終了する。【００３６】
次に、図３に示す再生開始処理において、ＣＰＵ７ａは、調整終了フラグＦ１がオンして、フォーカス調整、トラッキング調整、ゲイン調整のそれぞれが正常に行われるのを待って（ステップＳ１０でＹ）、次のステップＳ１１に進む。ステップＳ１１において、ＣＰＵ７ａは、記録手段として働き、今回のフォーカス調整、トラッキング調整、ゲイン調整によって得た調整値を調整値履歴として、ＲＡＭ７ｃ内に形成した履歴エリアに記録する。このことから明らかなように、ＣＰＵ７ａ及びＲＡＭ７ｃが、請求項中の記録手段、実施の形態における記録部１６に相当する。その後、ＣＰＵ７ａは、履歴エリアに所定量以上の調整値履歴が記録されるのを待って（ステップＳ１２でＹ）、劣化検出処理を行う（ステップＳ１３）。【００３７】
劣化検出処理において、ＣＰＵ７ａは、劣化検出手段として働き、今回の自動調整処理で行われたフォーカス調整、トラッキング調整、ゲイン調整による調整値各々の、フォーカス標準値、トラッキング標準値、ゲイン標準値からのズレ量が閾値を超えたとき、ディスクの劣化を検出する。なお、上述したフォーカス標準値、トラッキング標準値、ゲイン標準値は、履歴エリアに記録された過去の調整値履歴に基づいて定められ、例えば、過去の調整履歴の平均値とし、定期的に更新されるものであるとする。このことから明らかなように、ＣＰＵ７ａが請求項中の劣化検出手段、実施の形態における劣化検出部１５に相当する。【００３８】
上述した劣化検出処理により劣化が検出されない場合（ステップＳ１４でＮ）、ＣＰＵ７ａは、直ちにディスク１の読取・再生動作を開始させ（ステップＳ１６）、処理を終了する。これに対して、劣化が検出された場合（ステップＳ１４でＹ）、ＣＰＵ７ａは、「ディスク劣化」を表示装置８に表示させた後（ステップＳ１５）、ステップＳ１６に進む。【００３９】
この「ディスク劣化」を使用者が見て、今使っているディスクが車内環境や傷などで劣化していることを認識し、ディスク１の読取が不能になることに対してディスク１のバックアップをとるなどの回避行動をとることができる。これに対して、ＣＰＵ７ａは、調整値履歴が所定量以上なければ（ステップＳ１２でＮ）、ディスク１の劣化検出を行うことなく、直ちにステップＳ１６に進む。【００４０】
以上の読取・再生装置によれば、調整範囲内でフォーカス調整、トラッキング調整、ゲイン調整が正常にできたとき、つまり、読取・再生装置の故障や、性能低下がないと判断できるときに、その調整値に基づいて、ディスク１の劣化を検出している。このことによって、読取・再生装置の故障や、性能低下をディスク１の劣化として誤検出することがなく、正確にディスク１の劣化を検出することができる。しかも、読取時に通常行われるフォーカス調整、トラッキング調整、ゲイン調整を利用して、ディスクの劣化を検出することができる。このため、ディスク１の劣化を検出するために新たに構成を追加する必要がなく、安価にディスク１の劣化を検出することができる。【００４１】
また、以上の読取・再生装置によれば、現調整値と、過去の調整履歴により定めた標準値とのズレ量に基づいて、ディスク１の劣化を検出している。このように標準値を過去の履歴により定めることにより、標準値は、読取・再生装置の汚れや劣化に応じて変動するため、より一層、読取・再生装置の故障や、性能低下をディスクの劣化と誤検出することなくなり、正確にディスクの劣化を検出することができる。さらに、以上の読取・再生装置によれば、調整値履歴が所定量以上記録されない状態で、劣化の検出が行われることがないので、より一層、正確にディスク１の劣化を検出することができる。【００４２】
なお、上述した実施例によれば、ＲＦ信号のレベルを一定にするため、ＲＦアンプ４のゲイン調整を行っていた。しかしながら、例えば、読取・再生装置が、光ピックアップ３からの光ビーム光量を調整値として、ＲＦ信号のレベルを一定にするように光量調整するものであれば、その光量の調整値に基づいて、ディスクの劣化を検出するようにしてもよい。【００４３】
また、上述した実施例では、フォーカス調整、トラッキング調整、ゲイン調整による調整値によってディスクの劣化を検出していた。しかしながら、調整値としては、ディスク１の劣化に応じて変動するものであれば上述した実施例に限らない。【００４４】
また、上述した実施例では、現調整値の調整履歴によって定めた標準値からのズレ量が閾値以上のとき、ディスク１の劣化を検出していた。しかしながら、例えば、標準値を求めなくても、現調整値が過去の調整履歴から大きく変化したことを判断できるような方法であれば上述した実施例に限らない。【００４５】
また、上述した実施例では、ズレ量と比較する閾値を１つ設定していた。しかしながら、例えば、閾値を複数設定して、ディスク１の劣化を検出した場合、そのズレ量の大きさに応じてディスクの劣化度（例えば、かなり劣化してる、少し劣化しているなど）を表示装置に表示することも考えられる。【００４６】
また、上述した実施例では、ディスク１に記録されたデータの再生を開始される前の管理情報を読み取っている際に行われる自動調整を利用して、ディスク１の劣化を検出していた。しかしながら、例えば、データの読取再生中にも自動調整を行うものであれば、このときの調整値によって、ディスク１の劣化を検出するようにしてもよい。【００４７】
さらに、上述した実施例では、調整値履歴によって標準値を定めていたが、調整値履歴を残せないような場合などは、予め定めた標準値を使って、ディスクの劣化を検出するようにしてもよい。
【図１】
2005096276.tif 000002
【図２】
2005096276.tif 000003
【図３】
2005096276.tif 000004
【図４】
2005096276.tif 000005
【国際調査報告】
2005096276.tif 000006
2005096276.tif 000007
2005096276.tif 000008